【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】
外部負荷からの信号源を緩衝して分離する装置であって、該装置は、該信号源からの入力信号を受け取る信号入力端子と、該入力信号に対応する出力信号を該外部負荷に提供する信号出力端子とを有しており、該装置はさらに、
第１のエミッタ電流を第１の駆動トランジスタに提供し、第１のバイアス電流を第１の出力トランジスタに提供する第１のバイアス電流源と、
第２のエミッタ電流を第２の駆動トランジスタから受け取り、第２のバイアス電流を第２の出力トランジスタから受け取る第２のバイアス電流源とからなり、該入力信号は該第１の駆動トランジスタと該第２の駆動トランジスタにバイアスをかけ、該出力端子は該第１の出力トランジスタのエミッタと該第２の出力トランジスタのエミッタとに電気的に接続されており、該装置はさらに、
該第１の駆動トランジスタのエミッタと該第２の駆動トランジスタのエミッタとの間に電気的に接続されている、制御電圧を提供する制御電圧源とからなり、該第１のバイアス電流と該第２のバイアス電流は、該制御電圧の所定の関数として変化することを特徴とする装置。
【請求項２】
請求項１に記載の装置において、該第１の駆動トランジスタはＰＮＰタイプのトランジスタを含み、該第２の駆動トランジスタはＮＰＮタイプのトランジスタを含み、該第１の出力トランジスタはＮＰＮタイプのトランジスタを含み、該第２の出力トランジスタはＰＮＰタイプのトランジスタを含むことを特徴とする装置。
【請求項３】
請求項１に記載の装置において、該装置はさらに、該第１の出力トランジスタのコレクタと該第２の出力トランジスタのコレクタとの間に電気的に接続された供給電圧源を含むことを特徴とする装置。
【請求項４】
請求項１に記載の装置において、該所定の関数はほぼ指数的な関係を含むことを特徴とする装置。
【請求項５】
請求項１に記載の装置において、該第１の出力トランジスタを通る静止電流と該第２の出力トランジスタを通る静止電流とは、該第１の電流源および該第２の電流源から実質的に独立していることを特徴とする装置。
【請求項６】
請求項１に記載の装置において、該制御電圧源は、抵抗器と、ＰＮＰタイプのトランジスタと、ＮＰＮタイプのトランジスタとを含み、該抵抗器は該ＰＮＰタイプのトランジスタのコレクタと該ＮＰＮタイプのトランジスタのコレクタとの間に電気的に接続されており、該ＰＮＰタイプのトランジスタのベースは該ＮＰＮタイプのトランジスタの該コレクタに電気的に接続されており、該ＮＰＮタイプのトランジスタのベースは該ＰＮＰタイプのトランジスタの該コレクタに電気的に接続されており、該ＰＮＰタイプのトランジスタのエミッタは該第１の駆動トランジスタの該エミッタに電気的に接続されており、該ＮＰＮタイプのトランジスタのエミッタは該第２の駆動トランジスタの該エミッタに電気的に接続されていることを特徴とする装置。
【請求項７】
外部負荷からの信号源を緩衝して分離する装置であって、該装置は、該信号源からの入力信号を受け取る信号入力端子と、該外部負荷に出力信号を提供する信号出力端子とを有しており、該装置はさらに、
第１の静止コレクタ電流を有する第１のＮＰＮタイプのトランジスタと、第２の静止コレクタ電流を有する第１のＰＮＰタイプのトランジスタとを含む出力段からなり、該第１のＮＰＮタイプのトランジスタのエミッタは該第１のＰＮＰタイプのトランジスタのエミッタに電気的に接続されており、該第１のＮＰＮタイプのトランジスタのコレクタは第１の電圧供給源に接続されており、該第１のＰＮＰタイプのトランジスタのコレクタは第２の電圧供給源に接続されており、該装置はさらに、
入力段からなり、該入力段は、
Ｉ．第２のＰＮＰタイプのトランジスタと第１の電流源とを含み、第２のＰＮＰタイプのトランジスタのエミッタは第１の電流源出力端子と第１のＮＰＮタイプのトランジスタのベースとに電気的に接続されており、第２のＰＮＰタイプのトランジスタのコレクタは該第２の電圧供給源に電気的に接続されており、第２のＰＮＰタイプのトランジスタのベースは該信号入力端子に電気的に接続されており、第１の電流源入力端子は該第２の電圧供給源に電気的に接続されており、
II．第２のＮＰＮタイプのトランジスタと第２の電流源とを含み、第２のＮＰＮタイプのトランジスタのエミッタは第２の電流源入力端子と第１のＰＮＰタイプのトランジスタのベースとに電気的に接続されており、第２のＮＰＮタイプのトランジスタのコレクタは該第１の電圧供給源に電気的に接続されており、第２のＮＰＮタイプのトランジスタのベースは該信号入力端子に電気的に接続されており、第２の電流源出力端子は該第２の電圧供給源に電気的に接続されているものであり、該装置はさらに、
制御電圧を提供する制御電圧源からなり、該制御電圧源は正の端子と負の端子とを有しており、該正の端子は該第１のＮＰＮタイプのトランジスタのベースに電気的に接続されており、該負の端子は該第１のＰＮＰタイプのトランジスタのベースに電気的に接続されており、該第１の静止コレクタ電流と該第２の静止コレクタ電流とは、該制御電圧の所定の関数として変化することを特徴とする装置。
【請求項８】
請求項７に記載の装置において、該所定の関数はほぼ指数的な関係を含むことを特徴とする装置。
【請求項９】
請求項７に記載の装置において、該制御電圧源は、抵抗器と、第３のＰＮＰタイプのトランジスタと、第３のＮＰＮタイプのトランジスタとを含み、該抵抗器は、該第３のＰＮＰタイプのトランジスタのコレクタと該第３のＮＰＮタイプのトランジスタのコレクタとの間に電気的に接続されており、該第３のＰＮＰタイプのトランジスタのベースは該第３のＮＰＮタイプのトランジスタの該コレクタに電気的に接続されており、該第３のＮＰＮタイプのトランジスタのベースは該第３のＰＮＰタイプのトランジスタの該コレクタに電気的に接続されており、該第３のＰＮＰタイプのトランジスタのエミッタは該第１の駆動トランジスタの該エミッタに電気的に接続されており、該第３のＮＰＮタイプのトランジスタのエミッタは該第２の駆動トランジスタの該エミッタに電気的に接続されていることを特徴とする装置。
【請求項１０】
外部負荷からの信号源を緩衝し分離する緩衝段であって、該緩衝段は、該信号源から入力信号を受け取る信号入力端子と、該入力信号に対応する出力信号を該外部負荷に提供する信号出力端子とを有しており、該緩衝段は、
所定のバイアス電流で動作するようにそれぞれ配置された少なくとも２つの駆動トランジスタを含む入力部と、
所定の静止電流で動作するようにそれぞれ配置された少なくとも２つの出力トランジスタを含む出力部と、
該入力部と該出力部とに接続されており、該駆動トランジスタを通って流れるバイアス電流の大きさからはほぼ独立して、該出力トランジスタを通って流れる静止電流を設定するように構成され配置された電圧源とからなることを特徴とする緩衝段。
【請求項１１】
請求項１０に記載の緩衝段において、該電圧源から提供された電圧を調節することが、該２つの駆動トランジスタを通るバイアス電流を異なった比率で分割させることを特徴とする緩衝段。
【請求項１２】
請求項１０に記載の緩衝段において、該出力トランジスタを通る該静止電流は、該駆動トランジスタのそれぞれのエミッタ面積が、該出力トランジスタのそれぞれのエミッタ面積よりも小さい限り、該ドライバ・トランスミッタのそれぞれのエミッタ面積の大きさからほぼ独立していることを特徴とする緩衝段。
【請求項１３】
請求項１０に記載の緩衝段において、動作において、該出力トランジスタのベース・エミッタ電圧の合計は、該駆動トランジスタのベース・エミッタ電圧の合計に等しいことを特徴とする緩衝段。
【請求項１４】
請求項１０に記載の緩衝段において、動作において、該駆動トランジスタのそれぞれのバイアス電流とコレクタ電流との間の差電流は該電圧源を通って流れることを特徴とする緩衝段。
【請求項１５】
請求項１０に記載の緩衝段において、該駆動トランジスタの該ベースは共に接続されており、緩衝段の該入力を形成することを特徴とする緩衝段。
【請求項１６】
請求項１０に記載の緩衝段において、該出力トランジスタの該エミッタは共に接続されており、緩衝段の該出力を形成することを特徴とする緩衝段。
【請求項１７】
請求項１０に記載の緩衝段において、該緩衝段はさらに該駆動トランジスタのそれぞれを通るバイアス電流を提供する電流源を含むことを特徴とする緩衝段。
【請求項１８】
請求項１０に記載の緩衝段において、バイアス電流の少なくともいくつかが該駆動トランジスタを通って流れるように、該駆動トランジスタのそれぞれの該エミッタは電流源に接続されていることを特徴とする緩衝段。
【請求項１９】
請求項１０に記載の緩衝段において、該電圧源は該駆動トランジスタの該エミッタ間、ならびに該出力トランジスタの該ベース間に接続されていることを特徴とする緩衝段。
【請求項２０】
請求項１０に記載の緩衝段において、該出力トランジスタは逆の導電性タイプであることを特徴とする緩衝段。
【請求項２１】
請求項１０に記載の緩衝段において、該電圧源は逆の導電性タイプの２つの電圧源トランジスタと、一方の電圧源トランジスタの該コレクタと他方の電圧源トランジスタの該ベースとの間、ならびに他方の電圧源トランジスタの該コレクタと一方の電圧源トランジスタの該ベースとの間に接続された抵抗器とを含むことを特徴とする緩衝段。
【請求項２２】
請求項１０に記載の緩衝段において、該駆動トランジスタを通るバイアス電流は等しいことを特徴とする緩衝段。